(57)【特許請求の範囲】
【請求項１】
地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に積層されるシート体と、
前記シート体に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体。
【請求項２】
前記シート体は、
前記発臭剤を含み、前記埋設物カバー体上に粘着して設けられる粘着層と、
ガスバリア性を有し、前記粘着層に積層されるガスバリア層と、を含むことを特徴とする請求項１に記載の埋設物防護体。
【請求項３】
前記シート体は、可撓性および弾発性を有する材料から成り、
前記発臭剤の前記外皮層は、前記シート体の弾性変形による応力が付加されることによって破壊されることを特徴とする請求項１に記載の埋設物防護体。
【請求項４】
前記シート体は、空孔を有する可撓性材料から成り、
前記発臭剤は、前記空孔内に充填された状態で、前記シート体に含有されていることを特徴とする請求項１に記載の埋設物防護体。
【請求項５】
前記シート体には、表面から外方に向けて突出し、内部空間を有する突出部が形成され、
前記発臭剤は、前記内部空間に充填されていることを特徴とする請求項１に記載の埋設物防護体。
【請求項６】
地中に埋設される長手状の埋設物を外方から覆う埋設物カバー体であって、一部分が重なるように折込まれた折込み部を有する埋設物カバー体と、
前記折込み部を縫製するための縫製糸と、
前記縫製糸に付着され、臭気物質が外皮層によって被覆された発臭剤であって、前記埋設物カバー体に外力が付加されて、前記縫製糸が切断されたときに、前記外皮層が破壊されて、前記臭気物質が放散される発臭剤と、を含むことを特徴とする埋設物防護体。
【請求項７】
地中に埋設される長手状の埋設物を外方から覆う埋設物カバー体であって、一部分が重なるように折込まれた折込み部を有する埋設物カバー体と、
少なくとも前記折込み部を覆うように印刷されて前記埋設物カバー体上に形成される印刷層と、
前記印刷層に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体。
【請求項８】
地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に設けられる袋体と、
前記袋体の内部に充填される発臭剤と、を含み、
前記埋設物カバー体に外力が付加されて、少なくとも前記折込み部が変形することによって、前記袋体が破壊されたときに、前記発臭剤から発せられる臭気が放散されるように構成されることを特徴とする埋設物防護体。
【請求項９】
地中に埋設される長手状の埋設物を外方から覆う埋設物カバー体であって、一部分が重なるように折込まれた折込み部を有する埋設物カバー体と、
前記折込み部における重なり部分に粘着して設けられる粘着層と、
前記粘着層に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体。
【請求項１０】
地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に積層されるシート体と、
前記シート体に含有され、着色物質が外皮層によって被覆された着色剤であって、前記埋設物カバー体に外力が付加されて、少なくとも前記折込み部が変形することによって、前記外皮層が破壊されたときに、前記着色物質が放散される着色剤と、を含むことを特徴とする埋設物防護体。
【発明の詳細な説明】
【技術分野】
【０００１】
本発明は、ガス管などの長手状埋設物が地中に埋設されていることを嗅覚的または視覚的に検知可能にし、長手状埋設物が掘削機械によって損傷を受けるのを防護する埋設物防護体に関する。
【背景技術】
【０００２】
ガス管、水道管、電気・通信ケーブルなどを地中に埋設するときには、これらの長手状埋設物を保護するために地表から一定の深さ以上のところに埋設する必要がある。地中に埋設された長手状埋設物は、掘削機械によって、損傷を受けることがある。
【０００３】
そこで、地中ボーリングや掘削などの掘削作業を行う作業者に、長手状埋設物が地中に埋設されていることを嗅覚的または視覚的に検知させるようにして、長手状埋設物が掘削機械によって損傷を受けるのを防護する方法が提案されている。
【０００４】
たとえば、特許文献１には、付臭流体、着色流体または塗料を封入したカプセルを、長手状埋設物の上方の地中内に埋設する方法が開示されている。この特許文献１に開示される方法によれば、掘削作業を行う作業者は、掘削機械により前記カプセルが破壊されたときに出す臭気または色彩によって、長手状埋設物が地中に埋設されていることを検知することができる。
【０００５】
また、特許文献２には、長手状埋設物の上方の地中内に埋設されて、長手状埋設物が掘削機械によって損傷を受けるのを防護する地中埋設物保護板が開示されている。この地中埋設物保護板は、水溶性の着色剤が封入された収容体が板面上に固定されたものである。特許文献２に開示される地中埋設物保護板によれば、掘削作業を行う作業者は、掘削機械により前記収容体が破壊されたときに放出される着色剤、またはその着色剤が水に溶解された着色水によって、長手状埋設物が地中に埋設されていることを検知することができる。
【先行技術文献】
【特許文献】
【０００６】
【特許文献１】特開平４−８６５８６号公報
【特許文献２】特開２００６−８３９３８号公報
【発明の概要】
【発明が解決しようとする課題】
【０００７】
しかしながら、特許文献１，２に開示されるいずれの技術も、長手状埋設物が地中に埋設されていることを嗅覚的または視覚的に検知可能にする点において十分であるとは言えない。すなわち、特許文献１，２に開示される技術においては、嗅覚的または視覚的な検知を可能にする着色剤などが封入される前記カプセルや前記収容体に、掘削機械から直接的に力が付与されてカプセルや収容体が破壊されることで、着色剤などが放出されるようになっているので、たとえば、掘削機械によって、カプセルや収容体が下方側から土砂とともに掘削されるとき、カプセルや収容体が破壊されるには至らず、そのため着色剤などが放出されない。
【０００８】
このように、着色剤などが放出されない場合には、長手状埋設物が地中に埋設されていることの、嗅覚的または視覚的な検知が可能とはならないので、長手状埋設物が掘削機械によって損傷を受けるのを防護することができない。
【０００９】
本発明の目的は、ガス管などの長手状埋設物が地中に埋設されていることを嗅覚的または視覚的に検知可能にし、長手状埋設物が掘削機械によって損傷を受けるのを防護することができる埋設物防護体を提供することである。
【課題を解決するための手段】
【００１０】
本発明は、地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に積層されるシート体と、
前記シート体に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体である。
【００１１】
また本発明の埋設物防護体において、前記シート体は、
前記発臭剤を含み、前記埋設物カバー体上に粘着して設けられる粘着層と、
ガスバリア性を有し、前記粘着層に積層されるガスバリア層と、を含むことを特徴とする。
【００１２】
また本発明の埋設物防護体において、前記シート体は、可撓性および弾発性を有する材料から成り、
前記発臭剤の前記外皮層は、前記シート体の弾性変形による応力が付加されることによって破壊されることを特徴とする。
【００１３】
また本発明の埋設物防護体において、前記シート体は、空孔を有する可撓性材料から成り、
前記発臭剤は、前記空孔内に充填された状態で、前記シート体に含有されていることを特徴とする。
【００１４】
また本発明の埋設物防護体において、前記シート体には、表面から外方に向けて突出し、内部空間を有する突出部が形成され、
前記発臭剤は、前記内部空間に充填されていることを特徴とする。
【００１５】
また本発明は、地中に埋設される長手状の埋設物を外方から覆う埋設物カバー体であって、一部分が重なるように折込まれた折込み部を有する埋設物カバー体と、
前記折込み部を縫製するための縫製糸と、
前記縫製糸に付着され、臭気物質が外皮層によって被覆された発臭剤であって、前記埋設物カバー体に外力が付加されて、前記縫製糸が切断されたときに、前記外皮層が破壊されて、前記臭気物質が放散される発臭剤と、を含むことを特徴とする埋設物防護体である。
【００１６】
また本発明は、地中に埋設される長手状の埋設物を外方から覆う埋設物カバー体であって、一部分が重なるように折込まれた折込み部を有する埋設物カバー体と、
少なくとも前記折込み部を覆うように印刷されて前記埋設物カバー体上に形成される印刷層と、
前記印刷層に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体である。
【００１７】
また本発明は、地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に設けられる袋体と、
前記袋体の内部に充填される発臭剤と、を含み、
前記埋設物カバー体に外力が付加されて、少なくとも前記折込み部が変形することによって、前記袋体が破壊されたときに、前記発臭剤から発せられる臭気が放散されるように構成されることを特徴とする埋設物防護体である。
【００１８】
また本発明は、地中に埋設される長手状の埋設物を外方から覆う埋設物カバー体であって、一部分が重なるように折込まれた折込み部を有する埋設物カバー体と、
前記折込み部における重なり部分に粘着して設けられる粘着層と、
前記粘着層に含有され、臭気物質が外皮層によって被覆された発臭剤であって、前記埋設物カバー体に外力が付加されて、少なくとも前記折込み部が変形することによって、前記外皮層が破壊されたときに、前記臭気物質が放散される発臭剤と、を含むことを特徴とする埋設物防護体である。
【００１９】
また本発明は、地中に埋設される長手状の埋設物を外方から覆う埋設物カバー体であって、一部分が重なるように折込まれた折込み部を有する埋設物カバー体と、
少なくとも前記折込み部を覆うように前記埋設物カバー体上に積層されるシート体と、
前記シート体に含有され、着色物質が外皮層によって被覆された着色剤であって、前記埋設物カバー体に外力が付加されて、少なくとも前記折込み部が変形することによって、前記外皮層が破壊されたときに、前記着色物質が放散される着色剤と、を含むことを特徴とする埋設物防護体である。
【発明の効果】
【００２０】
本発明によれば、埋設物防護体は、地中に埋設されるガス管などの長手状埋設物と地表との間に埋設されるものであり、埋設物カバー体とシート体と発臭剤とを含む。埋設物カバー体は、ガス管などの長手状埋設物を外方（上方）から覆うものであり、長手方向に折り畳まれて一部分が重なるように折込まれた折込み部を有する。シート体は、少なくとも前記折込み部を覆うように埋設物カバー体上に積層される。そして、発臭剤は、シート体に含有され、臭気物質が外皮層によって被覆されたものである。この発臭剤は、埋設物カバー体に外力が付加されて、少なくとも折込み部が変形することによって、外皮層が破壊されたときに、臭気物質が放散される。
【００２１】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって、発臭剤の外皮層が破壊されて、臭気物質が放散される。これによって、ガス管などの長手状埋設物が地中に埋設されていることを、臭気物質の放散によって嗅覚的に検知可能となり、長手状埋設物が掘削機械によって損傷を受けるのを防護することができる。
【００２２】
また本発明によれば、前記シート体は、前記発臭剤を含み、前記埋設物カバー体上に粘着して設けられる粘着層と、ガスバリア性を有し、粘着層に積層されるガスバリア層とを含んだ構成によって実現することができる。このようなシート体を有する埋設物防護体では、掘削機械のショベルまたはバケットによって掘り上げられるときの外力が埋設物カバー体に付加されて、少なくとも折込み部が変形することによって、シート体の粘着層が埋設物カバー体から剥がされ、この粘着層の埋設物カバー体からの剥離力によって、粘着層中に含まれる発臭剤の外皮層が破壊されて、臭気物質が放散される。これによって、ガス管などの長手状埋設物が地中に埋設されていることを、臭気物質の放散によって嗅覚的に検知可能となる。
【００２３】
また本発明によれば、前記シート体は、可撓性および弾発性を有する材料から成る。このようなシート体を有する埋設物防護体では、掘削機械のショベルまたはバケットによって掘り上げられるときの外力が埋設物カバー体に付加されて、少なくとも折込み部が変形することによってシート体が弾性変形し、このシート体の弾性変形による応力によって、シート体に含有される発臭剤の外皮層が破壊されて、臭気物質が放散される。これによって、ガス管などの長手状埋設物が地中に埋設されていることを、臭気物質の放散によって嗅覚的に検知可能となる。
【００２４】
また本発明によれば、前記シート体は、空孔を有する可撓性材料から成る。そして、発臭剤は、前記空孔内に充填された状態でシート体に含有される。このように構成される埋設物防護体では、掘削機械のショベルまたはバケットによって掘り上げられるときの外力が埋設物カバー体に付加されて、少なくとも折込み部が変形することによってシート体が変形し、このシート体の変形による応力によって、シート体に含有される発臭剤の外皮層が破壊されて、臭気物質が放散される。また、シート体の空孔内に発臭剤が充填された状態であるので、静荷重の状態では、空孔が力を吸収し、土圧などで発臭剤の外皮層が破壊されるのを防止することができる。
【００２５】
また本発明によれば、前記シート体には、表面から外方に向けて突出し、内部空間を有する突出部が形成される。そして、発臭剤は、前記内部空間に充填された状態でシート体に含有される。このように構成される埋設物防護体では、掘削機械のショベルまたはバケットによって掘り上げられるときの外力が埋設物カバー体に付加されて、少なくとも折込み部が変形することによってシート体が変形し、このシート体の変形による応力によって、突出部が破壊されるとともに、その突出部の内部空間に充填される発臭剤の外皮層が破壊されて、臭気物質が放散される。また、突出部の内部空間に発臭剤が充填された状態であるので、静荷重の状態では、土圧などで発臭剤の外皮層が破壊されるのを防止することができる。
【００２６】
また本発明によれば、埋設物防護体は、地中に埋設されるガス管などの長手状埋設物と地表との間に埋設されるものであり、埋設物カバー体と縫製糸と発臭剤とを含む。埋設物カバー体は、ガス管などの長手状埋設物を外方（上方）から覆うものであり、長手方向に折り畳まれて一部分が重なるように折込まれた折込み部を有する。この折込み部は、縫製糸によって縫製されている。そして、発臭剤は、縫製糸に付着され、臭気物質が外皮層によって被覆されたものである。この発臭剤は、埋設物カバー体に外力が付加されて、少なくとも折込み部が変形することによって縫製糸が切断されたときに、外皮層が破壊されて、臭気物質が放散される。
【００２７】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって縫製糸が切断されたときに、外皮層が破壊されて、臭気物質が放散される。これによって、ガス管などの長手状埋設物が地中に埋設されていることを、臭気物質の放散によって嗅覚的に検知可能となり、長手状埋設物が掘削機械によって損傷を受けるのを防護することができる。
【００２８】
また本発明によれば、埋設物防護体は、地中に埋設されるガス管などの長手状埋設物と地表との間に埋設されるものであり、埋設物カバー体と印刷層と発臭剤とを含む。埋設物カバー体は、ガス管などの長手状埋設物を外方（上方）から覆うものであり、長手方向に折り畳まれて一部分が重なるように折込まれた折込み部を有する。印刷層は、少なくとも前記折込み部を覆うように印刷されて埋設物カバー体上に形成される。そして、発臭剤は、印刷層に含有され、臭気物質が外皮層によって被覆されたものである。この発臭剤は、埋設物カバー体に外力が付加されて、少なくとも折込み部が変形することによって印刷層が変形し、この印刷層の変形による応力によって、印刷層に含有される発臭剤の外皮層が破壊されて、臭気物質が放散される。
【００２９】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって印刷層が変形したときに、外皮層が破壊されて、臭気物質が放散される。これによって、ガス管などの長手状埋設物が地中に埋設されていることを、臭気物質の放散によって嗅覚的に検知可能となり、長手状埋設物が掘削機械によって損傷を受けるのを防護することができる。
【００３０】
また本発明によれば、埋設物防護体は、地中に埋設されるガス管などの長手状埋設物と地表との間に埋設されるものであり、埋設物カバー体と袋体と発臭剤とを含む。埋設物カバー体は、ガス管などの長手状埋設物を外方（上方）から覆うものであり、長手方向に折り畳まれて一部分が重なるように折込まれた折込み部を有する。袋体は、少なくとも前記折込み部を覆うように埋設物カバー体上に設けられる。そして、発臭剤は、前記袋体の内部に充填されている。
【００３１】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって袋体が破壊されたときに、発臭剤から発せられる臭気成分が放散される。これによって、ガス管などの長手状埋設物が地中に埋設されていることを、臭気成分の放散によって嗅覚的に検知可能となり、長手状埋設物が掘削機械によって損傷を受けるのを防護することができる。
【００３２】
また本発明によれば、埋設物防護体は、地中に埋設されるガス管などの長手状埋設物と地表との間に埋設されるものであり、埋設物カバー体と粘着層と発臭剤とを含む。埋設物カバー体は、ガス管などの長手状埋設物を外方（上方）から覆うものであり、長手方向に折り畳まれて一部分が重なるように折込まれた折込み部を有する。粘着層は、前記折込み部における重なり部分に粘着して設けられる。そして、発臭剤は、前記粘着層に含有され、臭気物質が外皮層によって被覆されたものである。この発臭剤は、埋設物カバー体に外力が付加されて、少なくとも折込み部が変形することによって粘着層が折込み部における重なり部分から剥がされ、この粘着層の重なり部分からの剥離力によって、粘着層中に含まれる発臭剤の外皮層が破壊されて、臭気物質が放散される。
【００３３】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって粘着層が折込み部における重なり部分から剥がされたときに、外皮層が破壊されて、臭気物質が放散される。これによって、ガス管などの長手状埋設物が地中に埋設されていることを、臭気物質の放散によって嗅覚的に検知可能となり、長手状埋設物が掘削機械によって損傷を受けるのを防護することができる。
【００３４】
また本発明によれば、埋設物防護体は、地中に埋設されるガス管などの長手状埋設物と地表との間に埋設されるものであり、埋設物カバー体とシート体と着色剤とを含む。埋設物カバー体は、ガス管などの長手状埋設物を外方（上方）から覆うものであり、長手方向に折り畳まれて一部分が重なるように折込まれた折込み部を有する。シート体は、少なくとも前記折込み部を覆うように埋設物カバー体上に積層される。そして、着色剤は、シート体に含有され、着色物質が外皮層によって被覆されたものである。この着色剤は、埋設物カバー体に外力が付加されて、少なくとも折込み部が変形することによって、外皮層が破壊されたときに、着色物質が放散される。
【００３５】
このように構成される本発明の埋設物防護体では、たとえば、掘削機械によって埋設物防護体が下方側から土砂とともに掘削されるときであっても、掘削機械のショベルまたはバケットによって掘り上げられるときの外力が埋設物カバー体に付加されて、少なくとも折込み部が変形することによって、着色剤の外皮層が破壊されて、着色物質が放散される。これによって、ガス管などの長手状埋設物が地中に埋設されていることを、着色物質の放散によって視覚的に検知可能となり、長手状埋設物が掘削機械によって損傷を受けるのを防護することができる。
【図面の簡単な説明】
【００３６】
【図１】本発明の第１実施形態に係る埋設物防護体１００を示す一部の斜視図である。
【図２】図１に示す埋設物防護体１００が長手状埋設物１０２の上方に埋設された状態を示す断面図である。
【図３】埋設物防護体１００の一部の拡大断面図である。
【図４】埋設物防護体１００の埋設物カバー体１における折込み部１１を拡大して示す図である。
【図５】本発明の第２実施形態に係る埋設物防護体２００を示す図である。
【図６】本発明の第３実施形態に係る埋設物防護体３００を示す図である。
【図７】本発明の第４実施形態に係る埋設物防護体４００を示す図である。
【図８】本発明の第５実施形態に係る埋設物防護体５００を示す図である。
【図９】本発明の第６実施形態に係る埋設物防護体６００を示す図である。
【図１０】本発明の第７実施形態に係る埋設物防護体７００を示す図である。
【図１１】本発明の第８実施形態に係る埋設物防護体８００を示す図である。
【図１２】本発明の第９実施形態に係る埋設物防護体９００を示す図である。
【発明を実施するための形態】
【００３７】
図１は、本発明の第１実施形態に係る埋設物防護体１００を示す一部の斜視図であり、図２は図１に示す埋設物防護体１００が長手状埋設物１０２の上方に埋設された状態を示す断面図である。図３は、埋設物防護体１００の一部の拡大断面図である。図４は、埋設物防護体１００の埋設物カバー体１における折込み部１１を拡大して示す図である。
【００３８】
本実施形態の埋設物防護体１００は、地中１０１に埋設されるガス管などの長手状の埋設物（以下、「長手状埋設物」という）１０２と地表との間に埋設されるものであり、長手状埋設物１０２の長手方向に沿って延びるように形成される。埋設物防護体１００は、埋設物カバー体１とシート体２と知覚剤３とを含む。
【００３９】
埋設物カバー体１は、長手状埋設物１０２を外方（上方）から覆うものであり、長手状埋設物１０２の長手方向に沿って延びて、帯状に形成される。この埋設物カバー体１は、たとえば、フィラメントクロスの表裏面を熱可塑性樹脂でラミネート処理して得られる。前記熱可塑性樹脂としては、ポリエチレン、ポリプロピレン、ポリ塩化ビニル、ポリスチレン、ポリ酢酸ビニル、アクリル樹脂などを挙げることができるが、本実施形態ではポリエチレンである。さらにこの埋設物カバー体１は、長手方向に折り畳まれて一部分が重なるように折込まれた折込み部１１を有する。埋設物カバー体１において折込み部１１は、熱融着されている。
【００４０】
シート体２は、埋設物カバー体１の少なくとも前記折込み部１１を覆うように埋設物カバー体１上に積層される。本実施形態では、シート体２は、埋設物カバー体１の地表側の表面上に、長手方向の全体にわたって積層されている。また、本実施形態においてシート体２は、図３に示すように、埋設物カバー体１上に粘着して設けられる粘着層２１と、ガスバリア性を有し、粘着層２１に積層されるガスバリア層２２とを含んで構成される。
【００４１】
粘着層２１は、アクリル系粘着剤、ゴム系粘着剤、シリコン系粘着剤、ウレタン系粘着剤などの一般的な粘着剤によって形成される。本実施形態では、粘着層２１は、アクリル系粘着剤によって形成される。
【００４２】
ガスバリア層２２は、ポリアミド類、ポリビニルアルコール、ポリ塩化ビニリデン、エチレン−ビニルアルコール共重合樹脂、ポリプロピレン、ポリエチレンテレフタレート、リニアローデンシティ・ポリエチレン、多層共押出品、金属箔、金属酸化物または金属蒸着品などの一般的なガスバリア材料によって形成される。多層共押出品としては、ナイロン／ナイロン／接着層／ポリエチレン／ポリエチレン、ナイロン／エチレン−ビニルアルコール／ナイロン／接着層／ポリエチレン、ナイロン／接着層／ナイロン／接着層／ポリエチレンなどを挙げることができる。また、金属酸化物または金属蒸着品としては、ポリエチレンテレフタレート、ポリビニルアルコールなどの樹脂材料にシリカ、アルミナ、アルミニウムを蒸着した蒸着品などを挙げることができる。本実施形態では、ガスバリア層２２は、シリカまたはアルミナ蒸着品によって形成される。
【００４３】
知覚剤３は、発臭剤または着色剤であり、シート体２の粘着層２１に含有され、嗅覚的に検知可能な臭気物質、または、視覚的に検知可能な着色物質が外皮層によって被覆されたカプセル体である。前記外皮層は、たとえば、ゼラチンやヒドロキシプロピルメチルセルロースなどから形成される。
【００４４】
前記臭気物質としては、ベンジルアルコール、メントール、アセトアルデヒド、ベンズアルデヒド、カダベリン、プトレシン、ピリジン、スカトール、トリメチルアミン、酢酸エチル、 酪酸エチル、アネトール、アニソール、ジヒドロジャスモン、γ-デカラクトン、γ-ノナラクトン、樟脳、エタンチオール、メタンチオールなどの芳香化合物、アンモニア、メチルメルカプタン、硫化水素、硫化メチル、二硫化メチル、トリメチルアミン、アセトアルデヒド、プロピオンアルデヒド、ノルマルブチルアルデヒド、イソブチルアルデヒド、ノルマルバレルアルデヒド、イソバレルアルデヒド、イソブタノール、酢酸エチル、メチルイソブチルケトン、トルエン、スチレン、キシレン、プロピオン酸、ノルマル酪酸、ノルマル吉草酸、イソ吉草酸などを挙げることができる。
【００４５】
前記着色物質としては、亜鉛華、鉛白、リトポン、二酸化チタン、鉛丹、酸化鉄赤、黄鉛、亜鉛黄、ウルトラマリン青、プロシア青、カーボンブラックなどの無機顔料、アゾ顔料、イソインドリノン、キノフタロン、アントラキノン、アントロン、キサンテン、ジケトピロロピロール、ペリレン、ペリノン、キナクリドン、インジゴイド、ジオキサジン、フタロシアニン、アゾメチンなどの有機顔料、カラーインデックスに収録されている各種の染料などを挙げることができる。
【００４６】
上記のような臭気物質または着色物質が外皮層によって被覆された知覚剤３は、埋設物カバー体１に外力が付加されて、少なくとも折込み部１１が変形することによって外皮層が破壊されたときに、臭気物質または着色物質が放散されるように構成される。
【００４７】
以上のように構成される本実施形態の埋設物防護体１００では、たとえば、掘削機械によって、埋設物防護体１００が下方側（長手状埋設物１０２側）から土砂とともに掘削されるとき、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によって、シート体２の粘着層２１が埋設物カバー体１から剥がされ、この粘着層２１の埋設物カバー体１からの剥離力によって、粘着層２１中に含まれる知覚剤３の外皮層が破壊されて、臭気物質または着色物質が放散される。これによって、長手状埋設物１０２が地中１０１に埋設されていることを、臭気物質または着色物質の放散によって嗅覚的または視覚的に検知可能となり、長手状埋設物１０２が掘削機械によって損傷を受けるのを防護することができる。
【００４８】
図５は、本発明の第２実施形態に係る埋設物防護体２００を示す図である。図５（ａ）は、埋設物防護体２００を示す一部の斜視図であり、図５（ｂ）は、埋設物防護体２００の一部の拡大断面図である。本実施形態の埋設物防護体２００は、前述した埋設物防護体１００に類似し、対応する部分については同一の参照符号を付して説明を省略する。本実施形態の埋設物防護体２００は、シート体２０１の構成が、前述したシート体２の構成と異なること以外は埋設物防護体１００と同様である。
【００４９】
シート体２０１は、埋設物カバー体１の少なくとも折込み部１１を覆うように埋設物カバー体１上に積層される。本実施形態では、シート体２０１は、埋設物カバー体１の地表側の表面上に、長手方向の全体にわたって積層されている。また、本実施形態においてシート体２０１は、可撓性および弾発性を有する材料から成る。そして、シート体２０１は、引き伸ばしたときの長さが、折込み部１１における重なり部分を剥離した埋設物カバー体１の全長以上の長さとなるように、その引張伸長率が設定されている。このようなシート体２０１を構成する材料としては、前述したガスバリア層２２と同様に、ポリアミド類、ポリビニルアルコール、ポリ塩化ビニリデン、エチレン−ビニルアルコール共重合樹脂、ポリプロピレン、ポリエチレンテレフタレート、リニアローデンシティ・ポリエチレン、多層共押出品、金属箔、金属酸化物または金属蒸着品などの一般的なガスバリア材料などを挙げることができる。多層共押出品としては、ナイロン／ナイロン／接着層／ポリエチレン／ポリエチレン、ナイロン／エチレン−ビニルアルコール／ナイロン／接着層／ポリエチレン、ナイロン／接着層／ナイロン／接着層／ポリエチレンなどを挙げることができる。また、金属酸化物または金属蒸着品としては、ポリエチレンテレフタレート、ポリビニルアルコールなどの樹脂材料にシリカ、アルミナ、アルミニウムを蒸着した蒸着品などを挙げることができる。本実施形態では、シート体２０１は、シリカまたはアルミナ蒸着品によって形成される。
【００５０】
本実施形態では、上記のようなシート体２０１に知覚剤２０２が含有されている。知覚剤２０２が含有されたシート体２０１は、樹脂と知覚剤２０２とを混練して成形することによって製造することができる。また、シート体２０１に含有される知覚剤２０２は、前述した埋設物防護体１００に含まれる知覚剤３と同様に構成され、臭気物質または着色物質が外皮層によって被覆されたカプセル体である。
【００５１】
以上のように構成される本実施形態の埋設物防護体２００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によって、シート体２０１が弾性変形し、このシート体２０１の弾性変形による応力によって、シート体２０１に含有される知覚剤２０２の外皮層が破壊されて、臭気物質または着色物質が放散される。これによって、長手状埋設物１０２が地中に埋設されていることを、臭気物質または着色物質の放散によって嗅覚的または視覚的に検知可能となり、長手状埋設物１０２が掘削機械によって損傷を受けるのを防護することができる。
【００５２】
図６は、本発明の第３実施形態に係る埋設物防護体３００を示す図である。図６（ａ）は、埋設物防護体３００を示す一部の斜視図であり、図６（ｂ）は、埋設物防護体３００の一部の拡大断面図である。本実施形態の埋設物防護体３００は、前述した埋設物防護体１００に類似し、対応する部分については同一の参照符号を付して説明を省略する。本実施形態の埋設物防護体３００は、シート体３０１の構成が、前述したシート体２の構成と異なること以外は埋設物防護体１００と同様である。
【００５３】
シート体３０１は、埋設物カバー体１の少なくとも折込み部１１を覆うように埋設物カバー体１に積層される。本実施形態では、シート体３０１は、埋設物カバー体１の長手状埋設物１０２側の裏面上に、長手方向の全体にわたって積層されている。また、本実施形態においてシート体３０１は、空孔を有する可撓性材料から成り、より具体的には、内部空間に空気が注入された樹脂製のエアパッキンである。このようなシート体３０１を構成する材料としては、前述したガスバリア層２２と同様に、ポリアミド類、ポリビニルアルコール、ポリ塩化ビニリデン、エチレン−ビニルアルコール共重合樹脂、ポリプロピレン、ポリエチレンテレフタレート、リニアローデンシティ・ポリエチレン、多層共押出品、金属箔、金属酸化物または金属蒸着品などの一般的なガスバリア材料などを挙げることができる。多層共押出品としては、ナイロン／ナイロン／接着層／ポリエチレン／ポリエチレン、ナイロン／エチレン−ビニルアルコール／ナイロン／接着層／ポリエチレン、ナイロン／接着層／ナイロン／接着層／ポリエチレンなどを挙げることができる。また、金属酸化物または金属蒸着品としては、ポリエチレンテレフタレート、ポリビニルアルコールなどの樹脂材料にシリカ、アルミナ、アルミニウムを蒸着した蒸着品などを挙げることができる。本実施形態では、シート体３０１は、シリカまたはアルミナ蒸着品によって形成される。
【００５４】
本実施形態では、上記のようなシート体３０１の、空気が注入された内部空間内（空孔内）に知覚剤３０２が充填されている。この知覚剤３０２は、前述した埋設物防護体１００に含まれる知覚剤３と同様に構成され、臭気物質または着色物質が外皮層によって被覆されたカプセル体である。
【００５５】
以上のように構成される本実施形態の埋設物防護体３００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によって、シート体３０１が変形してエアパッキンが破壊されるとともに、シート体３０１の変形による応力によって知覚剤３０２の外皮層が破壊されて、臭気物質または着色物質が放散される。これによって、長手状埋設物１０２が地中に埋設されていることを、臭気物質または着色物質の放散によって嗅覚的または視覚的に検知可能となり、長手状埋設物１０２が掘削機械によって損傷を受けるのを防護することができる。また、シート体３０１の空気が注入されたエアパッキン内に知覚剤３０２が充填された状態であるので、静荷重の状態では、土圧などで知覚剤３０２の外皮層が破壊されるのを防止することができる。
【００５６】
図７は、本発明の第４実施形態に係る埋設物防護体４００を示す図である。図７（ａ）は、埋設物防護体４００を示す一部の斜視図であり、図７（ｂ）は、埋設物防護体４００の一部の拡大断面図である。本実施形態の埋設物防護体４００は、前述した埋設物防護体１００に類似し、対応する部分については同一の参照符号を付して説明を省略する。本実施形態の埋設物防護体４００は、シート体４０１の構成が、前述したシート体２の構成と異なること以外は埋設物防護体１００と同様である。
【００５７】
シート体４０１は、埋設物カバー体１の少なくとも折込み部１１を覆うように埋設物カバー体１に積層される。本実施形態では、シート体４０１は、埋設物カバー体１の長手状埋設物１０２側の裏面上に、長手方向の全体にわたって積層されている。また、本実施形態においてシート体４０１は、空孔を有する可撓性材料から成り、より具体的には、複数の空孔を有するスポンジ状に形成された部材である。このようなシート体４０１を構成する材料としては、ポリエチレン、ポリウレタンなどの樹脂の発泡体、天然ゴム、クロロプレンゴム、エチレン−プロピレンゴム、エチレン−プロピレン−ジエンゴム、ニトリルゴム、シリコンゴムなどのゴムの発泡体などを挙げることができる。本実施形態では、シート体４０１は、ポリウレタンまたはエチレン−プロピレン−ジエンゴムの発泡体によって形成される。
【００５８】
本実施形態では、上記のようなシート体４０１の空孔内に知覚剤４０２が充填されている。この知覚剤４０２は、前述した埋設物防護体１００に含まれる知覚剤３と同様に構成され、臭気物質または着色物質が外皮層によって被覆されたカプセル体である。
【００５９】
以上のように構成される本実施形態の埋設物防護体４００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によってシート体４０１が変形し、このシート体４０１の変形による応力によって、シート体４０１の空孔内に充填される知覚剤４０２の外皮層が破壊されて、臭気物質または着色物質が放散される。これによって、長手状埋設物１０２が地中に埋設されていることを、臭気物質または着色物質の放散によって嗅覚的または視覚的に検知可能となり、長手状埋設物１０２が掘削機械によって損傷を受けるのを防護することができる。また、シート体４０１の空孔内に知覚剤４０２が充填された状態であるので、静荷重の状態では、空孔が力を吸収し、土圧などで知覚剤４０２の外皮層が破壊されるのを防止することができる。
【００６０】
図８は、本発明の第５実施形態に係る埋設物防護体５００を示す図である。図８（ａ）は、埋設物防護体５００を示す一部の斜視図であり、図８（ｂ）は、埋設物防護体５００の一部の拡大断面図である。本実施形態の埋設物防護体５００は、前述した埋設物防護体１００に類似し、対応する部分については同一の参照符号を付して説明を省略する。本実施形態の埋設物防護体５００は、シート体５０１の構成が、前述したシート体２の構成と異なること以外は埋設物防護体１００と同様である。
【００６１】
シート体５０１は、埋設物カバー体１の少なくとも折込み部１１を覆うように埋設物カバー体１上に積層される。本実施形態では、シート体５０１は、埋設物カバー体１の地表側の表面上に、長手方向の全体にわたって積層されている。また、本実施形態においてシート体５０１は、平板状の基材５０１１と、該基材５０１１の表面から外方（上方）に向けて突出し、内部空間を有する突出部５０１２とを含んで構成される。このようなシート体５０１を構成する材料としては、前述したガスバリア層２２と同様に、ポリアミド類、ポリビニルアルコール、ポリ塩化ビニリデン、エチレン−ビニルアルコール共重合樹脂、ポリプロピレン、ポリエチレンテレフタレート、リニアローデンシティ・ポリエチレン、多層共押出品、金属箔、金属酸化物または金属蒸着品などの一般的なガスバリア材料などを挙げることができる。多層共押出品としては、ナイロン／ナイロン／接着層／ポリエチレン／ポリエチレン、ナイロン／エチレン−ビニルアルコール／ナイロン／接着層／ポリエチレン、ナイロン／接着層／ナイロン／接着層／ポリエチレンなどを挙げることができる。また、金属酸化物または金属蒸着品としては、ポリエチレンテレフタレート、ポリビニルアルコールなどの樹脂材料にシリカ、アルミナ、アルミニウムを蒸着した蒸着品などを挙げることができる。本実施形態では、シート体５０１は、シリカまたはアルミナ蒸着品によって形成される。
【００６２】
本実施形態では、上記のようなシート体５０１の突出部５０１２の内部空間内に知覚剤５０２が充填されている。この知覚剤５０２は、前述した埋設物防護体１００に含まれる知覚剤３と同様に構成され、臭気物質または着色物質が外皮層によって被覆されたカプセル体である。
【００６３】
以上のように構成される本実施形態の埋設物防護体５００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によってシート体５０１が変形し、このシート体５０１の変形による応力によって、突出部５０１２が破壊されるとともに、その突出部５０１２の内部空間に充填される知覚剤５０２の外皮層が破壊されて、臭気物質または着色物質が放散される。これによって、長手状埋設物１０２が地中に埋設されていることを、臭気物質または着色物質の放散によって嗅覚的または視覚的に検知可能となり、長手状埋設物１０２が掘削機械によって損傷を受けるのを防護することができる。また、突出部５０１２の内部空間に知覚剤５０２が充填された状態であるので、静荷重の状態では、土圧などで知覚剤５０２の外皮層が破壊されるのを防止することができる。
【００６４】
図９は、本発明の第６実施形態に係る埋設物防護体６００を示す図である。図９（ａ）は、埋設物防護体６００を示す一部の斜視図であり、図９（ｂ）は、図９（ａ）の切断面線Ａ−Ａで切断したときの埋設物防護体６００の一部の拡大断面図である。本実施形態の埋設物防護体６００は、前述した埋設物防護体１００に類似し、対応する部分については同一の参照符号を付して説明を省略する。
【００６５】
本実施形態の埋設物防護体６００は、地中１０１に埋設される長手状埋設物１０２と地表との間に埋設されるものであり、埋設物カバー体１と縫製糸６０１と知覚剤６０２とを含む。埋設物カバー体１は、長手状埋設物１０２を外方（上方）から覆うものであり、長手方向に折り畳まれて一部分が重なるように折込まれた折込み部１１を有する。
【００６６】
前述した埋設物カバー体１では、折込み部１１は熱融着されて固定されていたけれども、本実施形態では、この折込み部１１は、縫製糸６０１によって縫製されている。このような縫製糸６０１を構成する材料としては、綿、麻、毛、絹、テンセル（登録商標）などの天然繊維、レーヨン、ポリノジック、キュプラ、アセテート、トリアセテート、プロミックス、アクリル、ポリエステル、ナイロン、ビニロン、ポリウレタンなどの化学繊維などを挙げることができる。本実施形態では、縫製糸６０１は、綿または各種化学繊維によって形成される。
【００６７】
本実施形態では、上記のような縫製糸６０１に知覚剤６０２が付着されている。この知覚剤６０２は、前述した埋設物防護体１００に含まれる知覚剤３と同様に構成され、臭気物質または着色物質が外皮層によって被覆されたカプセル体である。この知覚剤６０２は、埋設物カバー体１に外力が付加されて、少なくとも折込み部１１が変形することによって縫製糸６０１が切断されたときに、外皮層が破壊されて、臭気物質または着色物質が放散されるように構成される。
【００６８】
以上のように構成される本実施形態の埋設物防護体６００では、掘削機械のショベルまたはバケットによって掘り上げられるときの外力が埋設物カバー体１に付加されて、少なくとも折込み部１１が変形することによって縫製糸６０１が切断されたときに、知覚剤６０２の外皮層が破壊されて、臭気物質または着色物質が放散される。これによって、長手状埋設物１０２が地中１０１に埋設されていることを、臭気物質または着色物質の放散によって嗅覚的または視覚的に検知可能となり、長手状埋設物１０２が掘削機械によって損傷を受けるのを防護することができる。
【００６９】
図１０は、本発明の第７実施形態に係る埋設物防護体７００を示す図である。図１０（ａ）は、埋設物防護体７００を示す一部の斜視図であり、図１０（ｂ）は、埋設物防護体７００の一部の拡大断面図である。本実施形態の埋設物防護体７００は、前述した埋設物防護体１００に類似し、対応する部分については同一の参照符号を付して説明を省略する。
【００７０】
本実施形態の埋設物防護体７００は、地中１０１に埋設される長手状埋設物１０２と地表との間に埋設されるものであり、埋設物カバー体１と印刷層７０１と知覚剤７０２とを含む。埋設物カバー体１は、長手状埋設物１０２を外方（上方）から覆うものであり、長手方向に折り畳まれて一部分が重なるように折込まれた折込み部１１を有する。埋設物カバー体１において折込み部１１は、熱融着されている。
【００７１】
印刷層７０１は、少なくとも前記折込み部１１を覆うように印刷されて埋設物カバー体１上に設けられる。本実施形態では、印刷層７０１は、埋設物カバー体１の地表側の表面上に、長手方向の全体にわたって印刷されて設けられている。なお、図１０では、印刷層７０１は、「ガス管」という文字列により構成されている。
【００７２】
本実施形態では、上記のような印刷層７０１に知覚剤７０２が含有されている。この知覚剤７０２は、前述した埋設物防護体１００に含まれる知覚剤３と同様に構成され、臭気物質または着色物質が外皮層によって被覆されたカプセル体である。このような知覚剤７０２が含有された印刷層７０１は、たとえば、特開２００２−１９２５８号公報に記載されるような、従来公知のマイクロカプセル化インキによって形成することができる。
【００７３】
以上のように構成される本実施形態の埋設物防護体７００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によって印刷層７０１が変形し、この印刷層７０１の変形による応力によって、知覚剤７０２の外皮層が破壊されて、臭気物質または着色物質が放散される。これによって、長手状埋設物１０２が地中１０１に埋設されていることを、臭気物質または着色物質の放散によって嗅覚的または視覚的に検知可能となり、長手状埋設物１０２が掘削機械によって損傷を受けるのを防護することができる。
【００７４】
図１１は、本発明の第８実施形態に係る埋設物防護体８００を示す図である。図１１（ａ）は、埋設物防護体８００を示す一部の斜視図であり、図１１（ｂ）は、埋設物防護体８００の一部の拡大断面図である。本実施形態の埋設物防護体８００は、前述した埋設物防護体１００に類似し、対応する部分については同一の参照符号を付して説明を省略する。
【００７５】
本実施形態の埋設物防護体８００は、地中１０１に埋設される長手状埋設物１０２と地表との間に埋設されるものであり、埋設物カバー体１と袋体８０１と知覚剤８０２とを含む。埋設物カバー体１は、長手状埋設物１０２を外方（上方）から覆うものであり、長手方向に折り畳まれて一部分が重なるように折込まれた折込み部１１を有する。埋設物カバー体１において折込み部１１は、熱融着されている。
【００７６】
袋体８０１は、少なくとも前記折込み部１１を覆うように埋設物カバー体１上に設けられる。本実施形態では、袋体８０１は、埋設物カバー体１の地表側の表面上に、長手方向の全体にわたって積層されている。このような袋体８０１を構成する材料としては、前述したガスバリア層２２と同様に、ポリアミド類、ポリビニルアルコール、ポリ塩化ビニリデン、エチレン−ビニルアルコール共重合樹脂、ポリプロピレン、ポリエチレンテレフタレート、リニアローデンシティ・ポリエチレン、多層共押出品、金属箔、金属酸化物または金属蒸着品などの一般的なガスバリア材料などを挙げることができる。多層共押出品としては、ナイロン／ナイロン／接着層／ポリエチレン／ポリエチレン、ナイロン／エチレン−ビニルアルコール／ナイロン／接着層／ポリエチレン、ナイロン／接着層／ナイロン／接着層／ポリエチレンなどを挙げることができる。また、金属酸化物または金属蒸着品としては、ポリエチレンテレフタレート、ポリビニルアルコールなどの樹脂材料にシリカ、アルミナ、アルミニウムを蒸着した蒸着品などを挙げることができる。本実施形態では、袋体８０１は、シリカまたはアルミナ蒸着品によって形成される。
【００７７】
本実施形態では、上記のような袋体８０１の内部に知覚剤８０２が充填されている。この知覚剤８０２は、前述した埋設物防護体１００に含まれる知覚剤３のような外皮層はなく、臭気物質または着色物質そのもの自体が、知覚剤８０２となっている。
【００７８】
以上のように構成される本実施形態の埋設物防護体８００では、掘削機械のショベルまたはバケットによって掘り上げられるときの外力が埋設物カバー体１に付加されて、少なくとも折込み部１１が変形して重なり部分の融着が剥離される。そして、折込み部１１の重なり部分の融着が剥離する剥離力によって袋体８０１が破壊されたときに、知覚剤８０２自身である臭気物質または着色物質が放散される。これによって、長手状埋設物１０２が地中１０１に埋設されていることを、臭気物質または着色物質の放散によって嗅覚的または視覚的に検知可能となり、長手状埋設物１０２が掘削機械によって損傷を受けるのを防護することができる。
【００７９】
図１２は、本発明の第９実施形態に係る埋設物防護体９００を示す図である。図１２（ａ）は、埋設物防護体９００を示す一部の斜視図であり、図１２（ｂ）は、埋設物防護体９００の一部の拡大断面図である。本実施形態の埋設物防護体９００は、前述した埋設物防護体１００に類似し、対応する部分については同一の参照符号を付して説明を省略する。
【００８０】
本実施形態の埋設物防護体９００は、地中１０１に埋設される長手状埋設物１０２と地表との間に埋設されるものであり、埋設物カバー体１と粘着層９０１と知覚剤９０２とを含む。埋設物カバー体１は、長手状埋設物１０２を外方（上方）から覆うものであり、長手方向に折り畳まれて一部分が重なるように折込まれた折込み部１１を有する。
【００８１】
前述した埋設物カバー体１では、折込み部１１は熱融着されて固定されていたけれども、本実施形態では、この折込み部１１は、粘着層９０１によって粘着して固定されている。このような粘着層９０１は、アクリル系粘着剤、ゴム系粘着剤、シリコン系粘着剤、ウレタン系粘着剤などの一般的な粘着剤によって形成される。本実施形態では、粘着層９０１は、アクリル系粘着剤によって形成される。
【００８２】
本実施形態では、上記のような粘着層９０１に知覚剤９０２が含有されている。この知覚剤９０２は、前述した埋設物防護体１００に含まれる知覚剤３と同様に構成され、臭気物質または着色物質が外皮層によって被覆されたカプセル体である。
【００８３】
以上のように構成される本実施形態の埋設物防護体９００では、掘削機械のショベルまたはバケットによって掘り上げられるときの外力が埋設物カバー体１に付加されて、少なくとも折込み部１１が変形することによって粘着層９０１が折込み部１１における重なり部分から剥がされたときに、知覚剤９０２の外皮層が破壊されて、臭気物質または着色物質が放散される。これによって、長手状埋設物１０２が地中１０１に埋設されていることを、臭気物質または着色物質の放散によって嗅覚的または視覚的に検知可能となり、長手状埋設物１０２が掘削機械によって損傷を受けるのを防護することができる。
【符号の説明】
【００８４】
１  埋設物カバー体
２，２０１，３０１，４０１，５０１  シート体
３，２０２，３０２，４０２，５０２，６０２，７０２，８０２，９０２  知覚剤
１１  折込み部
２１，９０１  粘着層
２２  ガスバリア層
１００，２００，３００，４００，５００，６００，７００，９００  埋設物防護体
６０１  縫製糸
７０１  印刷層
８０１  袋体
【図１】
0005833468.tif 000002
【図２】
0005833468.tif 000003
【図３】
0005833468.tif 000004
【図４】
0005833468.tif 000005
【図５】
0005833468.tif 000006
【図６】
0005833468.tif 000007
【図７】
0005833468.tif 000008
【図８】
0005833468.tif 000009
【図９】
0005833468.tif 000010
【図１０】
0005833468.tif 000011
【図１１】
0005833468.tif 000012
【図１２】
0005833468.tif 000013